Podtech/llm-jp-corpus-v4-ja_patent huggingface dataset:
(57)【要約】 【課題】  釣竿の竿尻部にある元栓の欠落と竿尻部及び竿本体への傷の発生を防止する。【解決手段】釣竿の竿尻をカバーする円筒状の樹脂製カバーにより、竿と石及び竿を握る手と元栓が直接に接触することを避けて、竿の傷と元栓が弛むことを防ぎ、更にカバーの底部にろ過網を設け、元栓の穴から竿内に入る水中の小砂をろ過して竿の損傷を防ぐろ過網付竿尻カバーである。また、カバーの入り口の内径は底部よりやや小さくし、テーパー状にして竿本体との密着を強くする構成も可能である。  【選択図】  図３
0003132270.tif 000002
【実用新案登録請求の範囲】
【請求項１】
釣竿の竿尻をカバーする円筒状の樹脂製カバーにより、竿と石及び竿を握る手と元栓が直接に接触することを避けて、竿の傷と元栓が弛むことを防ぎ、更にカバーの底部にろ過網を設け、元栓の穴から竿内に入る水中の小砂をろ過して竿の損傷を防ぐところを特徴とするろ過網付竿尻カバー。
【請求項２】
カバーの入り口の内径は底部よりやや小さくし、テーパー状にして竿本体との密着を強くしていることを特徴とする請求項１記載のろ過網付竿尻カバー。
【考案の詳細な説明】
【技術分野】
【０００１】
本考案は、脱着型の竿尻カバー及びカバーの底部にろ過網を設けて竿尻及び本体を保護する樹脂製の円筒状竿尻カバーに関するものである。  
【背景技術】
【０００２】
河岸において、仕掛けの脱着、補修及び休憩の場合は竿尻を石の上に置くことにより竿尻と元栓に傷が付き、河川内で行なう場合は竿尻が水面又水中にあることが多く、竿の伸縮により元栓から吸引された水中の小砂が竿の各継ぎ手に付着し、再伸縮時に小砂で竿の表面と裏面に擦れ傷（砂噛み傷）をつけていた。更に竿の操作は竿尻を握ることから元栓に回転摩擦が加わり、ネジ式の元栓が弛んで外れ流水に落ちて紛失していた。
【考案の開示】
【考案が解決しようとする課題】
【０００３】
竿に傷がつくことと元栓の欠如は強度と美観を低下させ、その上竿の価値も下がり、補修は経済的負担である。更に、特に愛用する竿への傷等の損傷は釣意欲を減少させる。従って、竿尻のカバー機能とろ過機能を一体化することにより、河川の内外にかかわらず傷に対する注意が消失することで、集中して釣ができ前述の欠点を解決しようとするものである。
【課題を解決するための手段】
【０００４】
本考案は、円筒状の樹脂製カバーの底部にろ過網を設けた本体を、元栓とろ過網が接するように竿尻から被服して装着することにより、石及び元栓と手との直接接触を防ぎ、且つ、ろ過網によって元栓の穴部から入る水をろ過することにより、問題点を解決している。
【考案の効果】
【０００５】
上述のように、本考案のろ過網付きの竿尻カバーは竿尻部にカバーを装着することにより竿を握る手との回転摩擦が直接元栓に伝わらないため元栓のネジの弛みを防ぎ、本体のカバーによって竿尻部と石等との直接接触が回避することで傷を防止し、ろ過網が元栓の外側に位置することで、竿の各操作において水と共に竿内に入る小砂をろ過して結合部や内部に付着するのを防いで竿本体の傷防止に役立つ。
更に、損傷等への懸念を排除できることにより釣に集中でき、特に競技会において役立つ。
【考案を実施するための最良の形態】
【０００６】
以下、本考案を図面に基づいて説明する。
【実施例】
【０００７】
図１は、本考案にかかるろ過網付竿尻カバーを示す斜視図である。該ろ過網付竿尻カバーは、図面に示すように円筒状であって、カバー本体の底部は貫通孔を備え、該貫通孔にはろ過網が設けてある。なお、カバー本体底部に貫通孔を備えるのは、図２に示す釣竿本体の元栓に備えられた元栓穴部に空気を送り込むことを可能にするためである。また、ろ過網は、小砂の通過を阻止する機能を有するもので、その機能を発揮できなければ、材質等に限定はない。ただし、何度も浸水することに鑑みれば、防錆製の素材あるいは処理が施されたものが望ましい。
【０００８】
図３は、本考案にかかるろ過網付竿尻カバーを装着した状態を示す断面図である。該竿尻カバーを実際に装着する場合は、図４に示すようにカバーの開口部を中央までめくり、ろ過網と竿尻の元栓が接するまではめ込んだ後、めくった部分を元に戻す。すなわち、本考案にかかる竿尻カバーの材質は、弾性を有する樹脂製が望ましく、例えばゴムなどが考えられる。該竿尻カバーの入り口の内径を底部よりやや小さくテーパー状とすることにより、樹脂の弾性もともなって竿の表面に密着し竿と一体感を保つこととなる。尚、脱着においては、装着と反対の作業を行なえばよく、すなわち、めくった後に引き抜いて完了する。脱着自在であることから、反復使用と元径の類する竿への兼用ができる。
【図面の簡単な説明】
【０００９】
【図１】本考案にかかるろ過網付竿尻カバーを示す斜視図である。
【図２】釣竿の竿尻を示す斜視図である。
【図３】本考案にかかるろ過網付竿尻カバーを装着した状態を示す断面図である。
【図４】本考案にかかるろ過網付竿尻カバーの装着を示す説明図である。
【符号の説明】
【００１０】
１  カバー本体
２  ろ過網
３  釣竿本体            
４  元栓
５  元栓の穴部
【図１】
0003132270.tif 000003
【図２】
0003132270.tif 000004
【図３】
0003132270.tif 000005
【図４】
0003132270.tif 000006
(57)【要約】【課題】ティッシュペーパーの収納箱で、外観上の美感を与え、かつティッシュペーパーの取出しの度に、興味を引くような音声を発し、使用者を楽しませる。【解決手段】ティッシュペーパーの引出しの際の引出し圧力を利用し、検出接点を作動させて音声を発する。  尚全体を美感を生ぜしめ、かつ興味を引く形状の装飾外面を作り、実用を兼ねた装飾小物としての作用を持たせる。【選択図】図２
0003132266.tif 000002
【実用新案登録請求の範囲】
【請求項１】
箱入りティッシュペーパーの収納用の硬質材料製の筐体（１０）と、立体的化粧図形を施した表面板（１２）とを有するティッシュペーパーホルダにおいて、
前記表面板（１２）のほぼ中央にティッシュペーパー引出孔（１４）を設け、該表面板（１２）の内側には、ティッシュペーパー引出検出用接点（２８，２６）と、該接点の閉動作により作動する発声機構（２０，２２，２４）を設けてなり、ティッシュペーパーの引出しの都度、前記引出検出用接点（２８，２６）の作動により発声機構を動作させて、所定の音声を発することを特徴とする発声機構付ティッシュペーパーホルダ。
【請求項２】
前記発声機構は、電源部（２０）、発声音記憶及び作動部（２２）及びスピーカー（２４）を具えてなる請求項１記載の発声機構付ティッシュペーパーホルダ。
【請求項３】
ティッシュペーパー引出検出接点（２８，２６）の接点長を約１０ｍｍとし、接点間隔を約１〜３．０ｍｍ、また検出用接点の接触荷重を１５〜２０ｇとすることを特徴とする発声機構付ティッシュペーパーホルダ。
【請求項４】
ティッシュペーパー引出孔（１４）の大きさを約４０ｍｍ×２０ｍｍとする請求項１記載の発声機構付ティッシュペーパーホルダ。
【考案の詳細な説明】
【技術分野】
【０００１】
本考案は卓上等に置いて、装飾を兼ね、かつティッシュペーパーの引出しの度毎に所定の音声を発して、使用者に面白味を与え、かつ興味を抱かせるためのティッシュペーパーホルダに関する。
【０００２】
本考案者は、この種の装飾の目的と実用性とを兼ねるデザイン付のティッシュペーパーホルダを多く考案している。
【０００３】
これらのティッシュペーパーホルダは単に箱入りのティッシュペーパーを置いてあるものに比し、装飾的な意味をもち使用者に興味を抱かせる。
【考案の開示】
【考案が解決しようとする課題】
【０００４】
本考案者は、更にこれに加えて、ティッシュペーパーの引出しの都度何等かの音を出すこと、特に特定の立体的装飾図形が付された表面板の形状図形に関連ある音声を発することにより使用者に興味を抱かせ、単なるちり紙、ティッシュの取出しにも、生活上の面白味を与えるように考案されたものである。
【考案の効果】
【０００５】
本考案は、ティッシュペーパーの使用者に使用の都度、面白味の感覚を与え、一般の平凡な生活に潤いを与える効果がある。
【考案を実施するための最良の形態】
【０００６】
図１は本考案に関する発声機構付ティッシュペーパーホルダの外観を示す斜視図である。
【０００７】
図中、１０はホルダの筐体であり、標準の箱入りティッシュペーパーがそのまま収納できるよう、長さ約２６ｃｍ×横幅約１３ｃｍ×高さ約７ｃｍの寸法を有する剛体で、例えばプラスチック製である。
【０００８】
１２は装飾付表面板であり、図は１例として、モアイの顔を形どったもので、モアイの鼻の部分の孔１４よりティッシュ１６を引出すようにしている。
【０００９】
図２は、本発声機構付ティッシュペーパーホルダを断面として示したものであり、箱入りのティッシュペーパーを１８で示す。３０は本ホルダを持上げたとき箱入りティッシュペーパーが落ちないように止めるためのゴムバンドである。
【００１０】
使用者は、まず初めティッシュペーパーを１枚引出しておき、モアイの鼻の孔に該当する引出口１４より図１に図示の如く、１枚のティッシュペーパー１６が出るようにしておく。
【００１１】
次でこのティッシュペーパー１６をさらに引抜くと、ペーパーの引出しの張力と、ペーパー収納箱の間のペーパーの摩擦力によって、ティッシュ１６は、検出接点２８を押し上げ、対向接点２６に接触させる。この接触により発声機構が動作し、拡声器２４より、所定の音が出る如くなっている。１例として、モアイの場合、モアイが「クシャミ」をしたような音が出るようにした。
【００１２】
発声機構中、２０は電源部、２２はメモリ及び動作部、２４は拡声器である。
【００１３】
ティッシュペーパーの引出検出接点２８，２６は、バネ長約１０ｍｍで、接触間隔約１〜３ｍｍ、検出接点の接触迄の接点荷重が約１５〜２０ｇのものが、接点を確実に動作させる上で好都合であった。
【００１４】
さらに引出孔は、横幅約４０ｍｍ、縦長約２０ｍｍのものが好都合であり、これより大きくすると体裁が悪く、かつ容易に引抜けて、検出接点不作動のこともあった。
又あまり小さいと初期のセッティングに手間どり、引き抜きにくい等の問題もあった。
【００１５】
図３は上の発声機構の概略図であるが、この機構は既知のものであって本考案は、その詳細配置には限定されない。
【００１６】
本例の他に考えられる装飾板の形状模型と、発生内容の組合せは多くのものが考えられる。
以下は単なる例示である。
模  型 音  声
あひる          鳴き声
小犬            ほえ声
教会            鐘の音
鈴虫            鳴き声
汽船            ドラの音
この他多くの模型と音の組合せが考えられる。
【図面の簡単な説明】
【００１７】
【図１】本考案に係る発声機構付ティッシュペーパーホルダの外観を示す斜視図。
【図２】本考案に係る発声機構付ティッシュペーパーホルダの長さ方向縦断説明図。
【図３】発声機構の位置を示す図である。
【図１】
0003132266.tif 000003
【図２】
0003132266.tif 000004
【図３】
0003132266.tif 000005
【手続補正書】
【提出日】平成19年3月16日(2007.3.16)
【手続補正１】
【補正対象書類名】実用新案登録請求の範囲
【補正対象項目名】請求項３
【補正方法】変更
【補正の内容】
【請求項３】
ティッシュペーパー引出検出接点（２８，２６）の接点長を約１０ｍｍとし、接点間隔を約１〜３．０ｍｍ、また検出用接点の接触荷重を１５〜２０ｇとすることを特徴とする請求項１記載の発声機構付ティッシュペーパーホルダ。
(57)【要約】      （修正有）【課題】上下左右に引き出す為の空間のない棚に保管されているファイルでも、ファイル本体の出し入れや、背表紙と被着シートとの間に挿脱する表題シート等の摺動を介助する。【解決手段】ファイル背表紙に被着するシートにおいて、前記シート面に摘み部と開口部からなる切り込みを有することを特徴とする。【選択図】図１
0003132280.tif 000002
【実用新案登録請求の範囲】
【請求項１】
ファイル背表紙に被着するシートにおいて、前記シート面に摘み部と開口部からなる切り込みを有することを特徴とする背表紙に被着するシート。
【考案の詳細な説明】
【技術分野】
【０００１】本考案は、ファイル背表紙に被着する保護シートに関するものである。
【背景技術】
【０００２】  従来、背表紙被着シートの上端及び下端に切り込みを設けたものやファイル本体に取ってを付けたものなどがあった。
【考案の開示】
【考案が解決しようとする課題】
【０００３】従来の技術では、背表紙と被着するシートの間に挿脱する表題シート等の摺動を介助できず、ファイル本体の抜き出しにも活用できない場合があった。
【課題を解決するための手段】
【０００４】本考案は、背表紙に被着するシートに、摘み部と開口部からなる切込みを設けたシートを提供することにより、上記課題を、解決するものである。
【考案の効果】
【０００５】本考案によれば、上下左右に引き出す為の空間のない棚に保管されているファイルでも、ファイル本体の出し入れや、背表紙と被着シートとの間に挿脱する表題シート等の摺動を介助することができる。
【考案を実施するための最良の形態】
【０００６】被着するシートは表題が解るよう透明なもので、摘み部（８）を残す形態で上下に開口部（７）の切込みを設け、汚れの防止及び表題シート摺動の介助やファイル本体の抜き出しの際に利用する。
【図面の簡単な説明】
【図１】背表紙被着シートの平面図である。
【符号の説明】
１ファイル本体
２背表紙被着シート
３４開閉表紙
５挿脱口
６背表紙
７被着シート開口部
８被着シート摘み部
【図１】
0003132280.tif 000003
(57)【要約】      （修正有）【課題】水なすを漬け糠、水なすの葉で包んで仕上げることにより製品の見栄えを向上させる個別水なす糠漬けの提供。【解決手段】水なすの葉で包んで仕上げる個別水なす糠漬けは、水なす１を、まず漬け糠２で包み、さらにその上を、水なすの葉３で包んで仕上げる。【選択図】図１
0003132279.tif 000002
【実用新案登録請求の範囲】
【請求項１】
個別水なす糠漬けで、水なすを漬け糠で包み、さらにその上を、水なすの葉で包んで仕上げた個別水なす糠漬け。
【考案の詳細な説明】
【技術分野】
【０００１】  本考案は、個別水なす糠漬けに関する。
【背景技術】
【０００２】  従来の個別水なす糠漬けは、水なすを漬け糠で包んでそのまま仕上げとしていた。（図２）
【考案の開示】
【考案が解決しようとする課題】
【０００３】  しかし、これでは水なすの漬け糠が、そのまま仕上がりとなるため、製品の見栄えが悪かった。
【課題を解決するための手段】
【０００４】  そこで、水なすを漬け糠で包み、さらにその上を、水なすの葉で包んで仕上げることにより製品の見栄えが向上する。
【考案の効果】
【０００５】  よって、本考案の水なすの葉で包んで仕上げる個別水なす糠漬けは、製品の見栄えが向上するので、製品の価値を高めることができる。
【考案を実施するための最良の形態】
【０００６】  本考案に係る、水なすの葉で包んで仕上げた個別水なす糠漬けは、図１に示すように、水なす１を、まず漬け糠２で包み、さらにその上を、水なすの葉３で包んで仕上げる。
【図面の簡単な説明】
【０００７】
【図１】本考案に係る、水なすの葉で包んで仕上げた個別水なす糠漬けの断面図である。
【図２】従来の個別水なす糠漬けの断面図である。
【符号の説明】
【０００８】  １    水なす  ２    漬け糠  ３    水なすの葉
【図１】
0003132279.tif 000003
【図２】
0003132279.tif 000004
(57)【要約】      （修正有）【課題】人形の立体的美観をどの方向からも看取できる人形ケースを提供する。【解決手段】前面４、背面５、左側面６、右側面７および上面８の５面体が透明性板ガラスによって構成される無底状箱体２と、この箱体を覆蓋させ、人形を載置するための平面状台座３と、にて構成したことを特徴とする。また、前記平面状台座は、装飾用屏風を立設するための支持穴を設けたことを特徴とする。【選択図】図１
0003132277.tif 000002
【実用新案登録請求の範囲】
【請求項１】
前面、背面、左側面、右側面および上面の５面体が透明性板ガラスによって構成される無底状箱体と、この箱体を覆蓋させ、人形を載置するための平面状台座と、にて構成したことを特徴とする人形ケース。
【請求項２】
前記平面状台座には、装飾用屏風を立設するための支持穴を設けたことを特徴とする請求項１記載の人形ケース。
【考案の詳細な説明】
【技術の分野】
【０００１】  本考案は、人形ケースに関するものである。
【背景技術】
【０００２】  従来、人形等を飾るケースは、アガチス、ペルポック、ラシン、朴、花梨、紫檀、黒檀などの材料、又は、プラスチック等を使用素材にして加工した桟材（柱）を平面状台座に取り付け、この桟材（柱）に裁断した板ガラスとバックボードを嵌め込み、天枠を取り付け、更に、平面状台座上に人形を載置させて人形の飾り付けを可能にしていた。【０００３】  然し乍ら、上記構造の人形ケース製作にあたっては、桟材（柱）が木質材料の場合では、桟材（柱）に板ガラスの取付溝を設ける必要や、サンドペーパーをかけ、その表面を美麗に仕上げたり、或いは、黒塗りに施色する場合には黒色カシュー塗料（登録商標）などで塗装したり木目を出す場合には、ウレタン塗料を用いて塗装する等の作業工程を必要としていた。
そのため、人形ケースの桟材（柱）に木質材料を使用したり、バッグボードを使用したものは、材料の加工、塗装、組み立て等に余計な労力と技術をついやすから勢い、人形ケースのコスト高につながることになる。【０００４】  また、上記構造の人形ケースの場合は、桟材（往）それ自体が死角となったり、バックボードの存在によって、平面状台座上に飾られる人形の全体飾り姿態を見え難くし、人形の全体姿態を十分に看取することができないという不具合がある。
【考案の開示】
【考案が解決しようとする課題】
【０００５】  本考案は、このような不具合に着目して考案されたもので、詳しくは本考案は、従来の人形ケースに比し、製作が頗る簡単であり、簡単構造であるために、製作コストの低減を図ることができ、更には、飾り主体となる人形の立体的美観を、ケースのどの方向からでも容易に看取でき、鑑賞することができる人形ケースを提供するものである。
【考案が解決するための手段】
【０００６】  上記目的を達成するための本考案は、前面、背面、左側面、右側面、および上面の５面体が透明性板ガラスによって構成される無底状箱体と、この箱体を覆蓋させ、人形を載置するための平面状台座とにて構成したことを特徴とする（請求項１）。
また、上記の平面状台座は、装飾用屏風を立設するための支持穴を設けたことを特徴とする（請求項２）。
【考案の効果】
【０００７】  本考案は、請求項  に記載される解決手段で実施され、以下に記載されるような効果を奏する。
【０００８】  人形を載置させた平面状台座に対し、透明５面体の無底状箱体が覆蓋して人形ケースが構成されるため、無底状箱体の各面を透して、人形の透視鑑賞が可能になる。
従って、上記従来ケースのように、桟材（柱）やバックボードの存在によって、人形が見え難くなるのを解消できる。
また、図３に示す如く、台座本体に屏風を立設した場合、屏風を背景にした人形飾りが可能になり、装飾効果が向上する。
【０００９】  また、人形ケースの製作にあたって、桟材（柱）、バッグボード等の使用、加工、仕上げ、塗装等の工程を不要にすることができると共に、人形ケースの組立作業等に余計な手間が掛からず、しかもケースが簡単構造であるため、人形ケースの製作コスト低減を達成することができる。
【考案を実施するための最良の形態】
【００１０】  図１は、本考案に係る人形ケースの分離斜視図、図２は、無底状箱体の構造説明図、図３は他の平面状台座構造を示す分離斜視図である。【００１１】  本考案の人形ケース１は、無底状箱体２と、平面状台座３と、により構成されていて、前記箱体２は、前面板ガラス４、背面板ガラス５、左側面板ガラス６、右側面板ガラス７、上面板ガラス８を備えて５面体を形成し、前記各板ガラス４、５、６、７、８の各端縁同志は接着剤によって固装され、四辺形の各四隅を夫々角状に形成する。【００１２】  前記平面状台座３は、木製又は、プラスチック製であり、人形載置台９を有する。【００１３】  図３に示す他の平面状台座１０は台座本体１１と、屏風１２と、により構成されていて台座本体１１に設けた支持穴１３内に屏風１２の下向突出片１４を嵌着させることにより台座本体１１上に屏風１２を立設することが可能になり、そして、この屏風１２を背景にして人形を飾り付け、この平面状台座１０に前記無底状箱体２を覆蓋させることで、人形ケースとして機能する。【００１４】  本考案の実施例は、前記人形ケース飾り以外に、破魔弓・破魔矢飾りケース、羽子板飾りケース、節句用鎧飾りケース、節句用兜飾りケース等にも夫々、実施適用可能である。
【図面の簡単な説明】
【図１】  本考案に係る人形ケースの分離斜視図である。
【図２】  本考案における無底状箱体の構造説明図である。
【図３】  他の平面状台座構造を示す分離斜視図である。
【符号の説明】
１  人形ケース
２  無底状箱体
３  平面状台座
４  前面板ガラス
５  背面板ガラス
６  左側面板ガラス
７  右側面板ガラス
８  上面板ガラス
９  人形載置台
１０  平面状台座
１１  台座本体
１２  屏風
１３  支持穴
１４  下向突出片
【図１】
0003132277.tif 000003
【図２】
0003132277.tif 000004
【図３】
0003132277.tif 000005
(57)【要約】      （修正有）【課題】電位差による腐食を安価に防止する。【解決手段】めっき鋼板製の棟木受具の表面をアクリル系塗料で塗装することにより、銅を含んだ防腐処理剤を注入した棟木を使用してもめっき表面と棟木がアクリル塗装膜で縁が切れているので電位差による腐食を防ぐことが出来る。また、オーステナイト系ステンレス鋼板と比べて安価に製造することが出来る。【選択図】図２
0003132783.tif 000002
【実用新案登録請求の範囲】
【請求項１】
めっき鋼板製の棟木受具の表面をアクリル系塗料で塗装したことを特徴とする塗装棟木受具。
【考案の詳細な説明】
【技術分野】
【０００１】
本考案は、冠瓦を固定支持する棟木を屋根棟の上方で支持する棟木受具に関する。 
【背景技術】
【０００２】
冠瓦を固定支持する棟木を屋根棟の上方で支持する棟木受具は、冠瓦の固定強度や耐久性が必要であり、そのため金属製で腐食しにくい材質のメッキ鋼板やオーステナイト系ステンレス鋼板を使用している。
棟木受具としては、特開２０００−２７３７７号公報などが知られている。
【特許文献１】特開２０００−２７３７７号公報
【考案の開示】
【考案が解決しようとする課題】
【０００３】
棟木受具で支持する棟木は、腐食しにくい材質であることが望まれるため、銅を含んだ防腐処理材を注入した棟木を使うことが多く、めっき鋼板のめっき層が銅との電位差で腐食してしまう問題があった。
【０００４】
棟木受具の材質をオーステナイト系ステンレス鋼板にすることにより電位差による腐食を解決することは出来るが高価なニッケルやクロムを含んでいるため製品コストが上がり高価になる問題があった。
【課題を解決するための手段】
【０００５】
請求項１に記載の考案は、めっき鋼板製の棟木受具の表面をアクリル系塗料で塗装したことを特徴とするものである。 
【考案の効果】
【０００６】
上記請求項に記載したこの考案の棟木受具は、棟木受具の表面をアクリル系塗料で塗装することにより、銅を含んだ防腐処理材を注入した棟木が直接めっき層に触れないため電位差による腐食を防ぐことが出来る。
【０００７】
この考案の棟木受具は、安価なめっき鋼板にアクリル系塗料で塗装することにより安価に製品を作ることが出来る。
【考案を実施するための最良の形態】
【０００８】
以下、この考案について、その一実施例を示す図に基づいて説明する。
図１は、屋根 Ｒの頂部の屋根棟 Ｔに棟木受具 １を取り付け棟木 Ｗを取り付けた状態を示す。
取り付け状態は、従来技術と差異はなく同じである。
【０００９】
図２は、めっき鋼板の外側にアクリル系塗料 ２を塗装した棟木受け具に棟木Ｗを取り付けた断面状態を示す。めっき鋼板の表面と棟木は、アクリル系塗料によって縁が切れているので電位差による腐食は発生しない。
【００１０】
棟木受け具は、めっき鋼板もしくは鋼板を棟木が支持出来る形状にプレス成形する。めっき鋼板であればプレス成形後に棟金具表面を洗浄し、アクリル系塗料を塗装する。鋼板であればめっき処理をした後に棟金具表面を洗浄し、アクリル系塗料を塗装する。塗料の塗装については、焼き付け塗装、静電塗装のどちらでも良い。
【図面の簡単な説明】
【００１１】
【図１】棟木受具の設置状態を示す斜視図である。
【図２】棟木受具の使用状態を示す一部断面図である。
【符号の説明】
【００１２】
１  棟木受具本体
２  アクリル系塗料
３  めっき鋼板
Ｗ  棟木
【図１】
0003132783.tif 000003
【図２】
0003132783.tif 000004
【手続補正書】
【提出日】平成19年4月11日(2007.4.11)
【手続補正１】
【補正対象書類名】実用新案登録請求の範囲
【補正対象項目名】請求項１
【補正方法】変更
【補正の内容】
【請求項１】
めっき鋼板製の棟木受具の表面を有機系塗料で塗装したことを特徴とする塗装棟木受具。
【手続補正２】
【補正対象書類名】明細書
【補正対象項目名】全文
【補正方法】変更
【補正の内容】
【考案の詳細な説明】
【技術分野】
【０００１】
本考案は、冠瓦を固定支持する棟木を屋根棟の上方で支持する棟木受具に関する。 
【背景技術】
【０００２】
冠瓦を固定支持する棟木を屋根棟の上方で支持する棟木受具は、冠瓦の固定強度や耐久性が必要であり、そのため金属製で腐食しにくい材質のメッキ鋼板やオーステナイト系ステンレス鋼板を使用している。
棟木受具としては、特開２０００−２７３７７号公報などが知られている。
【特許文献１】特開２０００−２７３７７号公報
【考案の開示】
【考案が解決しようとする課題】
【０００３】
棟木受具で支持する棟木は、腐食しにくい材質であることが望まれるため、銅を含んだ防腐処理材を注入した棟木を使うことが多く、めっき鋼板のめっき層が銅との電位差で腐食してしまう問題があった。
【０００４】
棟木受具の材質をオーステナイト系ステンレス鋼板にすることにより電位差による腐食を解決することは出来るが高価なニッケルやクロムを含んでいるため製品コストが上がり高価になる問題があった。
【課題を解決するための手段】
【０００５】
請求項１に記載の考案は、めっき鋼板製の棟木受具の表面を有機系塗料で塗装したことを特徴とするものである。 
【考案の効果】
【０００６】
上記請求項に記載したこの考案の棟木受具は、棟木受具の表面を有機系塗料で塗装することにより、銅を含んだ防腐処理材を注入した棟木が直接めっき層に触れないため電位差による腐食を防ぐことが出来る。
【０００７】
この考案の棟木受具は、安価なめっき鋼板に有機系塗料で塗装することにより安価に製品を作ることが出来る。
【考案を実施するための最良の形態】
【０００８】
以下、この考案について、その一実施例を示す図に基づいて説明する。
図１は、屋根 Ｒの頂部の屋根棟 Ｔに棟木受具 １を取り付け棟木 Ｗを取り付けた状態を示す。
取り付け状態は、従来技術と差異はなく同じである。
【０００９】
図２は、めっき鋼板の外側に有機系塗料 ２を塗装した棟木受け具に棟木Ｗを取り付けた断面状態を示す。めっき鋼板の表面と棟木は、有機系塗料によって縁が切れているので電位差による腐食は発生しない。
【００１０】
棟木受け具は、めっき鋼板もしくは鋼板を棟木が支持出来る形状にプレス成形する。めっき鋼板であればプレス成形後に棟金具表面を洗浄し、有機系塗料を塗装する。鋼板であればめっき処理をした後に棟金具表面を洗浄し、有機系塗料を塗装する。塗料の塗装については、焼き付け塗装、静電塗装のどちらでも良い。
【図面の簡単な説明】
【００１１】
【図１】棟木受具の設置状態を示す斜視図である。
【図２】棟木受具の使用状態を示す一部断面図である。
【符号の説明】
【００１２】
１  棟木受具本体
２  有機系塗料
３  めっき鋼板
Ｗ  棟木
(57)【要約】      （修正有）【課題】清潔なトイレブラシ入れを提供する。【解決手段】上から見て長円形容器１がプラスチックで出来ており、外側の上の肉厚の厚い部分２と、下の肉厚の薄い部分３を作り、その為、段差４があり、手に持った時、滑らず持ち易い。又、蓋の無いことにより、ブラシの出し入れの時、水ハネしないでブラシの漬け置き洗いや、漂白・消毒が出来、水を汲んで流すことが出来、洗ったり、陽に干すことが出来、清潔である。又、部分洗いブラシを一緒に入れておくことが出来る等、種々の効果がある。【選択図】図３
0003132709.tif 000002
【実用新案登録請求の範囲】
【請求項１】
プラスチックで出来た容器の上の部分が肉厚が厚く、下の部分の肉厚が薄く、その為途中で段差があり、上より見て長円形をして、蓋の無いトイレブラシ入れ。
【考案の詳細な説明】
【技術分野】
【０００１】本考案はトイレブラシ入れに関する。
【背景技術】今までのものは蓋がついており、使いにくく清潔感が無かった。【０００２】
【特許文献１】まだこの様なものは、出願登録されていない。
【非特許文献１】各種の文献を見たが、これに相当するものは無い。
【考案の開示】
【考案が解決しようとする課題】
【０００３】  本考案は清潔なトイレブラシ入れを提供する。
【課題を解決するための手段】
【０００４】  本考案はプラスチックで出来た容器の上の部分が肉厚が厚く、下の部分の肉厚が薄く、その為途中で段差があり、上より見て長円形をして、蓋の無いトイレブラシ入れである。
【考案の効果】
【０００５】  本考案は、蓋の無い事により、ブラシの出し入れの時、水はねしないで、ブラシの漬け置き洗いや、漂白・消毒が出来、水を汲んで、流すことも出来、部分洗いブラシを一緒に入れておけ、洗ったり、陽に干すことが出来、清潔である。
又、容器の胴部に段差を設けたことにより、滑らず、持ち良く使える。
【考案を実施するための最良の形態】
【０００６】  本考案は、プラスチックで出来ており、容器化しており、平面から見ると長円形をしていて、蓋が無い。
その容器１の上の部分２は肉厚が厚く、下の部分３は肉厚が薄く、途中で細くなり、段差４を設けている。この段差は、容器を滑りにくく、持ちやすくするものである。
大きさは、高さ１５ｃｍ  短い方の幅１０ｃｍ  長い方の幅１５ｃｍ位が良い。
又、図中（Ａ）は大きいブラシ、（Ｂ）は小さいブラシを示す。
【産業上の利用可能性】
【０００７】  今まで、蓋があり、不潔感の強いものであった。本考案により、使いやすく、清潔感のあるトイレブラシ入れが実現し、広く使われることと思う。
【図面の簡単な説明】
【０００８】
【図１】本考案の正面図である。
【図２】平面図である。
【図３】実施の態様を示す側面図である。
【符号の説明】
１  容器
２  上の部分
３  下の部分
４  段差
Ａ  大きいブラシ
Ｂ  小さいブラシ
【図１】
0003132709.tif 000003
【図２】
0003132709.tif 000004
【図３】
0003132709.tif 000005
(57)【要約】      （修正有）【課題】分離標の汚れを自動的に払拭し、汚れを軽減するスピンクリーナーを提供する。【解決手段】分離標１の先端中心を支点としてクロスフロー型風車を形成し、風車の羽根２にブラシ３を付け、風車の回転により自動的に分離標を拭く。風車の材料は合成樹脂とし、羽根の枚数は回転力と払拭抵抗のバランスにより適宜増減する。【選択図】図１
0003132710.tif 000002
【実用新案登録請求の範囲】
【請求項１】
ポール型の車線分離標（以後単に分離標と言う）の先端を支点として、分離標を覆う様にクロスフロー型風車を形成し、風車の羽根にブラシ又はワイピングに適したものを分離標側面に接触するよう取り付け、これを風車の回転と連動させることにより自動的に粉塵を掻き落し、分離標側面の汚れをまんべんなく軽減する装置。
【請求項２】
風車の羽根に反射テープを貼った請求項１の装置。
【考案の詳細な説明】
【技術分野】
【０００１】本考案は風力によって分離標側面を自動的に払拭し、汚れを軽減する装置に関する。
【背景技術】
【０００２】従来車道に設置された分離標は、時間経過と共に粉塵や排気ガスが蓄積して標識の機能が低下する事を防ぐために、一定期間毎に人手により清掃を行わなければならなかった。
【考案の開示】
【考案が解決しようとする課題】
【０００３】分離標を人手により清掃する事は困難でコストがかかる上、作業に際して作業者と走行車両に対しての危険を伴い、さらには交通規制を実施した上での作業になるが故に円滑なる交通の妨げにもなるという不都合を解決することを課題とする。
【課題を解決するための手段】
【０００４】この課題を解決するための請求項１の考案は、分離標の先端中心を支点としてポールを覆う様にクロスフロー型風車を形成し、風車のウィングにブラシ又はワイピングに適したものを標識側面に接触するよう取り付け、風車の回転と連動させることにより自動的に分離標側面の汚れをまんべんなく掻き落とすものである。【０００５】また、請求項２の考案は、風車の羽根が反射テープを一部隠してしまうことを補うものである。
【考案の効果】
【０００６】この装置は自然の風力に加えて走行する車両によって発生する風圧を利用して、汚れの蓄積により分離標の機能が低下することを自動的に軽減する効果が得られるので、清掃にかかる労力の軽減と経費の節約、作業時に発生する清掃の作業者と現場を通過する運転者双方の危険防止と円滑なる交通に寄与する。
【考案を実施するための最良の形態】
【０００７】分離標の先端中心を支点とし、そこからブラシの付いた複数の下方に向かう羽根を持つクロスフロー型の風車を形成する。【０００８】羽根の枚数は回転力と払拭抵抗のバランスにより適宜増減する。【０００９】羽根の長さはすくなくとも分離標最上部から反射シート貼り付け最下段部までを覆う以上のものが良い。【００１０】風車の材料は適度な硬さとしなやかさがある合成樹脂が望ましい。【００１１】羽根に取り付ける汚れを払拭するものは耐久性と柔軟性があり風車の回転と払拭する機能を両立できる程度のものが理想的である。【００１２】風車の色は分離標と同色とする。
【実施例】
【００１３】現在設置してある分離標において、特に汚れの激しいトンネル内及び交差点付近あるいは道幅が狭い、見通しが悪い等清掃作業が特に危険な場所にある分離標への利用。
【図面の簡単な説明】
【００１４】分離標１の先端中心に支点を持ち、羽根２にブラシ３を取り付ける。
【図１】スピンクリーナーを分離標に取り付けた側面図である。
【図２】スピンクリーナーを分離標に取り付けたところを上から見た図である。
【符号の説明】
１分離標
２羽根
３ブラシ
４反射テープ
【図１】
0003132710.tif 000003
【図２】
0003132710.tif 000004
(57)【要約】      （修正有）【課題】濡れた釣り竿の水分の自然蒸発乾燥。【解決手段】釣り竿を固定するための固定具と、釣り竿を受ける網目状または水分の蒸発乾燥に必要な空気が循環できるような穴の空いた竿受けと、この釣り竿乾燥器具に釣り竿を入れて物干し竿などに掛ける事が出来る構造のものとの組み合わせにより、釣り竿の乾燥に必要な空気の循環と、釣り竿本来の筒貫通性構造で、水分の蒸発を行え解決した。【選択図】図１
0003132705.tif 000002
【実用新案登録請求の範囲】
【請求項１】
釣竿を保持する固定具とこの固定具の下部に設けられた網状または穴の空いた竿受けを備えた釣竿乾燥器具。
【請求項２】
釣竿をいれたこの釣竿乾燥器具を吊り下げるための構造を持ち、吊り下げる部分が回転機構を備えたもの。
【考案の詳細な説明】
【技術分野】
【０００１】
本考案は、濡れた釣り竿を乾燥させるときに関する。
【背景技術】
【０００２】
従来の釣り竿乾燥器具では、一本、一本釣り竿を立器具で立てたり、吊り器具で吊ったりして濡れた釣り竿を乾燥させていた。
【考案の開示】
【考案が解決しようとする課題】
【０００３】
しかし、これでは、釣り竿の乾燥に必要な空気の流通口が狭くなり、その為、水分の蒸発乾燥に時間がかかる、などの欠点があった。
【課題を解決するための手段】
【０００４】
そこで、釣り竿が外方向に落ちないように固定するための固定具（図1−3と5）と、釣り竿が下に落ちないように釣り竿を受ける網目状または空気が循環できるような穴の空いた竿受け（図1−6）と、この釣り竿乾燥器具に入れて物干し竿などに掛ける事が出来る構造のもの（図1−1と4）との組み合わせにより、釣り竿の乾燥に必要な空気の循環と、釣り竿本来の筒貫通性構造により、水分の蒸発を同時に行える、といった事が可能な釣り竿乾燥器具を考案した。(図1)
【考案の効果】
【０００５】
よって、本考案の釣り竿乾燥器具により、釣り竿が濡れた時に、釣り竿を本考案の釣り竿乾燥器具にいれて、物干し竿、あるいはこの釣り竿乾燥器具が吊り下げることが出来るもの等に吊り下げることにより、釣り竿が容易に乾かせるようになった。
【考案を実施するための最良の形態】
【０００６】
本考案に係る釣り竿乾燥器具10は図1に示すように、釣り竿が外方向に落ちないように固定するための固定具、釣り竿が下に落ちないように竿を受ける網目状または空気が循環できるような穴の空いた竿受け、及びこの釣り竿乾燥器具に入れて物干し竿などに掛ける事が出来るもので、それぞれの大きさは釣り竿が長いものから短いもの、太いものや細いものまで入れられるような大きさが望ましい。全体の材質としてはステンレスやプラスチック、ポリプロピレン等、その他水分により錆等が発生しにくいもので形成した方が望ましい。また釣り竿を乾燥器具に入れて物干し竿などに掛けるフック（図１−１）は、（図１−７）で回転する構造が望ましい。（図２）
【図面の簡単な説明】
【０００７】
【図１】本考案に係る竿乾燥器具に、釣り竿を竿乾燥器具に入れて使用した図面である。
【図２】釣り竿を竿乾燥器具に入れて吊り下げるためのフックの回転部分の断面図である
【符号の説明】
【０００８】
1  及び  4  吊り下げ用フック
2  物干し竿
3  及び  5  釣り竿固定具
6  竿受け
7  フックの回転部分
8  釣竿
10  釣り竿乾燥器具
【０００９】
1１  フックの回転構造部分の断面図
1２  フックの上下をつなぐビス止め用のみぞ
1３  ビス
1４  下部ワッシャ
【図１】
0003132705.tif 000003
【図２】
0003132705.tif 000004
【手続補正書】
【提出日】平成19年4月4日(2007.4.4)
【手続補正１】
【補正対象書類名】実用新案登録請求の範囲
【補正対象項目名】全文
【補正方法】変更
【補正の内容】
【実用新案登録請求の範囲】
【請求項１】
釣竿を保持する固定具とこの固定具の下部に設けられた網状または穴の空いた竿受けを備えた釣竿乾燥器具。
【請求項２】
釣り竿を入れた請求項１に記載の釣竿乾燥器具を吊り下げるための構造を持ち、吊り下げる部分が回転機構を備えたもの。
(57)【要約】   【課題】本考案はゴルフ上達を容易にするため、理想的なスイングを直接身体で習得するものである。       【解決手段】理想のスイング又は、一流ゴルフプレーヤーのスイング動作をソフト化し装置した産業用ロボットにゴルフクラブを取り付けて、ゴルフクラブそのものに練習者の体格に合った、理想のスイング又は一流ゴルフプレーヤーのスイング動作をさせ、それを練習度合いに応じてゆっくり動かす。そのゴルフクラブをグリップしているだけで自分の理想とするゴルフスイングを習得しようとするものである。産業用ロボットなどゴルフクラブを動かす装置は、練習者とクラブのスイング軌道上を邪魔にならない位置に置く。【選択図】  図１
0003132702.tif 000002
【実用新案登録請求の範囲】
【請求項１】
理想のスイング又は、一流ゴルフプレーヤーのスイング動作をソフト化し装置した産業用ロボットなどにゴルフクラブを取り付け、練習者が該ゴルフクラブをグリップすることにより、理想のスイング又は、一流ゴルフプレーヤーのスイング動作を身につけるようにしたスイング練習装置。
【考案の詳細な説明】
【技術分野】
【０００１】
ゴルフの理想的なスイングを習得する為の練習用ロボットに関するものである。
【背景技術】
【０００２】
従来、自分の理想とするゴルフスイングを習得する場合には、ゴルフ打撃練習場などにおいて上級者のアドバイス、またはレッスン教材を参考にして自己判断で練習をしていた。その自己判断が難しく、なかなか上達する事が出来なかった。
【考案の開示】
【考案が解決しようとする課題】
【０００３】
本考案は、理想のスイング又は、一流ゴルフプレーヤーのスイング動作を模してゴルフクラブを自動でスイングさせることにより正しいスイングを身につけるものである。
【課題を解決するための手段】
【０００４】
理想のスイング又は、一流ゴルフプレーヤーのスイング動作をソフト化し装置した産業用ロボットにゴルフクラブを取り付けて、ゴルフクラブそのものに練習者の体格に合った、理想のスイング又は一流ゴルフプレーヤーのスイング動作をさせ、それを練習度合いに応じてゆっくり動かす。そのゴルフクラブをグリップしているだけで自分の理想とするゴルフスイングを習得しようとするものである。産業用ロボットなどゴルフクラブを動かす装置は、練習者とクラブのスイング軌道上を邪魔にならない位置に置く。
【考案の効果】
【０００５】
短期間で理想とするゴルフスイングを身につける事が可能になる。
【考案を実施するための最良の形態】
【０００６】
以下更に添付図面を参照して本考案の実施の形態を説明する。
図は本考案の一例であり、図においてＡ２は産業ロボットでありこのロボットは理想のスイング又は、一流ゴルフプレーヤーのスイングを模したソフトを封入したパソコンＡ１に従ってスイング動作がなされるようになっていてロボットＡ２の先端にゴルフクラブＡ３が取り付けられている。そこで練習者Ａ４は練習する時に上記ゴルフクラブＡ３をグリップすることによりロボットＡ２が作動するゴルフクラブＡ３により理想のスイング又は、一流ゴルフプレーヤーのスイングすることができるようになり、理想のスイング又は、一流ゴルフプレーヤーのスイングを身につけることが出来る。
【図面の簡単な説明】
【０００７】
【図１】本考案の実施例を示す図面である。
【符号の説明】
【０００８】
A1  パソコン
A2  産業用ロボット
A3  ゴルフクラブ
A4  練習者
【図１】
0003132702.tif 000003
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
理想のスイング又は、一流ゴルフプレーヤーのスイング動作をソフト化し装置したロボッ
トにゴルフクラブを取り付け、練習者が該ゴルフクラブをグリップすることにより、理想
のスイング又は、一流ゴルフプレーヤーのスイング動作を身につけるようにしたスイング
練習装置。
(57)【要約】      （修正有）【課題】杉、ひのきの天然木材を板素材としても、マウスの使用によっても、表面が剥げにくく、また、木材の香りがし、パソコンを操作する人にとっても木の香りがすることにより安らぎを与えることのできる木材を用いたマウスパッドを開発・提供する。【解決手段】杉、ひのき等の天然木材を素材とし、矩形板状のマット本体１を設けるに当たり、該本体に色素を注入して圧縮し、該マット本体１の表面２には、縦・横に凹凸部３を複数個形成したマット本体１を設けたことを特徴とする木材を用いたマウスパッドから構成されるものであり、このマット本体１は、自然の素材である木材を、形状を保持する薬品等を用いないで、単に熱圧縮して、表面に凹凸模様を形成したものであり、凹凸模様は、金属製の当て板形状で形成し、場合によっては、ロゴマーク等も記入できるものである。【選択図】図１
0003132795.tif 000002
【実用新案登録請求の範囲】
【請求項１】
杉または、ひのきの天然木材を素材とし、該素材に色素を注入して熱圧縮し、かつ、表面（２）の縦・横に凹凸部（３）を複数個形成したマット本体（１）を設け、該マット本体をマウスパッドとしたことを特徴とする木材を用いたマウスパッド。
【考案の詳細な説明】
【技術分野】
【０００１】
この考案は、木材を用いたマウスパッドに関する。
【背景技術】
【０００２】
従来、パーソナルコンピューター（パソコン）で使用するマウスパッドは、入力機器であるマウスを、スムーズに動かすための下敷きであり、パッド上でマウスを動かすことによって操作するものであり、マウス底面のボールを転がして、その動作を電気信号としてコンピューターに伝えるものであり、ボールの回転力が保てるように、通常は、摩擦力を有するゴムあるいは合成樹脂性のものが多かった。
【０００３】
そこで、合成ゴムあるいは合成樹脂性のような無機質の素材より、天然の木材のような有機質の素材の方が環境に優しいものであり、自然の素材で作成され、また、コンピューターを操作する人にとっても木の香り安らぎを与えることのできる、天然素材、即ち、木材をマウスパッドに活用しようというものである。
【０００４】
しかしながら、マウスパッドは、前述のように表面が、適当な摩擦のある素材であることが必要であり、木材製のパッドでは、マウスの底にあるボールが滑ってしまい操作が困難となる場合があり、木材製であってもその欠点を除去するようなマウスパッドの出現が望まれている。
【考案の開示】
【考案が解決しようとする課題】
【０００５】
そこで、この考案は、杉（または、ひのき）の天然木材を板素材としても、マウスの使用によっても、表面が剥げにくく、また、木材の香りがし、パソコンを操作する人にとっても木の香りがすることより安らぎを与えることのできる木材を用いたマウスパッドを開発・提供することにある。
【課題を解決するための手段】
【０００６】
上記の課題を解決するため、本願考案者は、杉（または、ひのき）の素材に、色素を注入して圧縮し、かつ、素材の表面に滑り止めの凹凸を、縦横に複数個形成したマウスパッドとしたものである。
【考案の効果】
【０００７】
この考案によると、杉（または、ひのき）を素材とし、該素材に色素を注入して圧縮し、表面（２）に凹凸（３）を、縦横に複数個形成したマット本体（１）を設け、該本本体をマウスパッドとしたことを特徴とする木材を用いたマウスパッドを設けたことにより、マット本体（１）上で、マウスを転がすと、木の香りがし、操作をする者に安らぎを与えることができる。
【０００８】
さらに、マット本体（１）に色素を注入してから圧縮をしているため、摩擦による色落ちがなく、木目を引立て、さらに、マット本体（１）が木材であるが、凹凸（３）を形成しているため、マット本体（１）の表面が摩擦効果があり、マウス底面のボールがうまく転がる等極めて有益なる効果を奏する。
【考案を実施するための最良の形態】
【０００９】
この考案は、杉（またはひのき）等の木材を用い、この木材に、色素を注入して熱圧縮し、該木材の表面に凹凸を、縦横に複数個形成したマウスパッドであり、マット本体（１）上でマウスを転がすと、木の香りがし、操作する者に安らぎを与える木材を用いたマウスパッドである。
【実施例】
【００１０】
そこで、この考案の一実施例を、図面に従って詳述すると、杉（または、ひのき）等の天然木材を素材とし、矩形板状のマット本体（１）を設けるに当たり、該本体に色素を注入して圧縮し、該マット本体（１）の表面（２）には、縦・横に凹凸部（３）を複数個形成したマット本体（１）を設けたことを特徴とする木材を用いたマウスパッドから構成されるものである。
【００１１】
このマット本体（１）は、自然の素材である木材を、形状を保持する薬品等を用いないで、単に熱圧縮して、表面に凹凸模様を形成したものであり、凹凸模様は、金属製の当て板形状で形成し、場合によっては、ロゴマーク等も記入できるものである。
【００１２】
また、マット本体（１）の表面（２）に縦・横に形成した凹凸部（３）は、図面においては、半球状のものを図示したが、他の形状であってもよいものである。
【００１３】
さらに、マット本体（１）の大きさは、板材の幅の範囲で自由な大きさの形につくることが可能である。
【産業上の利用可能性】
【００１４】
この考案によると、マウスパッドの製造技術を確立し、それに基づいて製造・販売することにより、地球環境の保護と産業上の利用可能性があるものである。
【図面の簡単な説明】
【００１５】
【図１】この考案の一実施例を示す斜視図である。
【図２】この考案の一実施例を示し、（Ａ）は、一部欠截断面図であり、（Ｂ）は、拡大断面図である。
【符号の説明】
【００１６】
１  マット本体
２  表面
３  凹凸
【図１】
0003132795.tif 000003
【図２】
0003132795.tif 000004
(57)【要約】      （修正有）【課題】定規に沿って線を引いたりモノを切ったりする時、定規が動いたり対象物が動いたりする不都合の解消。【解決手段】定規本体に円形又は不定形の、貫通したジョウゴ状の穴を具備する。【選択図】図２
0003132711.tif 000002
【実用新案登録請求の範囲】
【請求項１】
定規に沿って線を引いたり刃物で切ったりする時、対象物がずれないよう指を入れて押えるための、内壁面が対象物に向かって途中まですり鉢状に小さくなっていき、そこから垂直になるジョウゴ状の貫通した円形又は不定形の穴を１個以上具備した定規。
【請求項２】
指が入る側の穴が、対象物に向かって階段状に小さくなってゆく、請求項１の定規。
【考案の詳細な説明】
【技術分野】
【０００１】本考案は定規に関するものであり、定規に工夫した穴を備える事で定規や対象物がズレないようにしたものである。
【背景技術】
【０００２】従来の穴開き定規は穴の内壁縦方向面が垂直（図４）か、又は擂り鉢状（図５）などのように角度が一定であった。
【考案の開示】
【考案が解決しようとする課題】
【０００３】しかし、垂直の穴では定規が厚いと押さえが効かず、すり鉢状だと力が加わった時に鋭角面が指と対象物の間に食い込んで定規がズレたり、対象物がズレたりして不便であった。
【課題を解決するための手段】
【０００４】そこで対象物がずれないよう押える事が出来る、押えられる対象物に接触する穴の内壁の角度が対象物から垂直であり、途中からすり鉢状に開いていく、内壁に複数の角度をもつジョウゴ状の貫通した円形又は不定形の穴を１個以上具備した定規を考案した（図１および図２）。この定規により、指先の形に応じて定規が密着しつつ、定規が指と対象物のすき間に滑り込んでズレることが無くなるのである。
【考案の効果】
【０００５】よって本考案の定規により、線を引いたり切ったりしている最中に、定規がズレたり対象物が動いたりして線が曲がったり、歪んで切ってしまうことが無くなるのである。
【考案を実施するための最良の形態】
【０００６】本考案に係る定規は図１に示すように不定形の長穴が開いており、その貫通する穴の内壁面は図２の示すように指に接する部分ではすり鉢状で、対象物からは垂直になっている二つの異なる角度を持つジョウゴ状になっている。穴の形は円形でも良いし不定形でも良いし、これらの組み合わせでも良く、穴の大きさや形状および個数は定規の大きさに応じて決めれば良い。
【図面の簡単な説明】
【０００７】
【図１】本考案に係る定規を上から見た図である。
【図２】本考案に係る定規図１Ａ−Ｂの断面図である。
【図３】本考案に係る請求項２の断面図である。
【図４】従来の内壁面が垂直穴のみの定規の断面図である
【図５】従来の内壁面がすり鉢状穴のみの定規の断面図である
【符号の説明】
１            定規
２            すり鉢状穴
３            垂直状穴
４            階段状穴
【図１】
0003132711.tif 000003
【図２】
0003132711.tif 000004
【図３】
0003132711.tif 000005
【図４】
0003132711.tif 000006
【図５】
0003132711.tif 000007